(57)【要約】【課題】水上における陸電配線が困難な場所でも稼動できる垂下式二枚貝育成用の散気・淡海水流動促進装置を提供する。【解決手段】架台２に取り付けた太陽発電パネル１と、水中に噴気する散気体４に空気を送出するコンプレッサー３と、太陽発電パネル１で発電した電力を蓄電するバッテリー６とから構成し、太陽光発電パネル１を、太陽方向に向かって４０度〜４２度傾斜させて架台２或いは所定場所に取り付ける。筏８に垂下された二枚貝の多段式育成装置１０の中央部空洞内下部より圧縮空気を発泡させて曝気する。【選択図】図１
2014183828.tif 000002
【特許請求の範囲】
【請求項１】
架台に取り付けた太陽発電パネルと、水中に噴気する散気体に空気を送出するコンプレッサーと、前記太陽発電パネルで発電した電力を蓄電するバッテリーとからなることを特徴とする垂下式二枚貝養殖用の散気装置。
【請求項２】
太陽光発電パネルを、太陽方向に向かって４０度〜４２度傾斜させたことを特徴とする請求項１記載の垂下式二枚貝養殖用の散気・淡海水流動促進装置。
【発明の詳細な説明】
【技術分野】
【０００１】  本発明は、二枚貝の養殖装置に使用される散気ブロアーに関し、とくに、アサリやハマグリ、シジミのように、通常は潮流にさらされる環境で生息している二枚貝類を育成水域中に垂下式で養殖する際に使用される散気装置に関するものである。
【背景技術】
【０００２】  アサリ、ハマグリ、シジミ等に代表される二枚貝類は、わが国の代表的な大衆魚介類であり、庶民が安価に取れる水産タンパク源である。しかし今日、海域の水質汚染、沿岸の護岸工事等による砂浜と干潟の減少等により、資源量及び漁獲量は激減している。現在、二枚貝類の資源量及び漁獲量を確保するため、各地で養殖が行われているが、その養殖方法の多くは、稚貝を海浜に人為的に撒いて自然環境の中で育成させるものである。しかし、このような従来の養殖方法は、海域の環境変化に影響され、生産コストも決して安価ではなく、かつ安定した量を市場に供給できない。【０００３】  従来の貝類養殖装置として提案されている技術を大きく分類すると、海中養殖と陸上養殖とに分けられる。海中での養殖装置は稚貝を付着させる板等を網で囲んで海中に下ろして育成させるため、自然な生息状態に比較的近い環境を整え易いというメリットがある。しかし、二枚貝類は売価が安いということもあり、生産コストが課題となって養殖魚介類としては低位に留まっている。【０００４】  例えば、特許文献１には、陸上におけるアワビの養殖施設が記載されている。このアワビの養殖施設は、アワビの飼育水槽を多段に設置し、この飼育水槽に海水を供給する給水管とオーバーフロー管を備え、さらに飼育水槽に給気管及び給餌場が付設されている。そして、ポンプで給水管に海水を流入させると共に、オーバーフロー管を下げることによって海水を下段の水槽へ流し、海水の流動を促進させる。また、給気管にはブロアーで空気を吸入し、圧縮空気を泡状に噴出させる。これにより溶存酸素の補給を行うようになっている。【０００５】  また、通水性の容器に、埋在性二枚貝の稚貝を収容し、これを、養殖場の水中に垂下保持して養殖する方法が提案されている（特許文献２参照。）。【０００６】  一方、太陽電池モジュールを支持した状態で水面に浮遊する浮遊体と、太陽の方角と太陽電池モジュールの受光面の方角とを認識する方角認識装置と、水流を受け止めることにより浮遊体を水面上で回転させる舵部材と、方角認識装置の認識結果に基づいて舵部材を制御することにより太陽光モジュールの受光面が太陽に向くように浮遊体の回転を制御する制御手段とを備え、水上に浮上した状態で太陽光を追尾する太陽光発電システムが提案されている（特許文献３参照。）。
【先行技術文献】
【特許文献】
【０００７】
【特許文献１】特許第３４９３３５７号公報
【特許文献２】特開２００８−１９３９２８号公報
【特許文献３】特開２００６−５３０６号公報
【発明の概要】
【発明が解決しようとする課題】
【０００８】  本発明もまた上記課題に鑑みなされたもので、水上における陸電配線が困難な場所でも稼動できる垂下式二枚貝育成用の散気・淡海水流動促進装置を提供することを目的とする。
【課題を解決するための手段】
【０００９】  このため本発明の垂下式二枚貝育成用の散気・淡海水流動促進装置は、架台或いは別の場所に取り付けた太陽発電パネルと、水中に噴気する散気体に空気を送出するコンプレッサーと、前記太陽発電パネルで発電した電力を蓄電するバッテリーとからなることを第１の特徴とする。また、太陽光発電パネルを、太陽方向に向かって４０度〜４２度傾斜させたことを第２の特徴とする。
【発明の効果】
【００１０】  本発明によれば、水上における陸電配線が困難な場所でも稼動できる散気・淡海水流動促進装置を提供することができる。
【図面の簡単な説明】
【００１１】
【図１】本発明に係る二枚貝養殖用の散気・淡海水流動促進装置の一実施例を示す斜視図である。
【図２】太陽光発電パネルを架台或いは別の場所に取り付けた状態を模式的に示す側面図である。
【図３】本発明に係る散気・淡海水流動促進装置を水上筏垂下式二枚貝育成装置に設置した状態を示す平面図である。
【図４】図３の正面図である。
【図５】図３の右側面図である。
【発明を実施するための形態】
【００１２】  以下、図面に示す実施例に基づいて本発明の実施の形態を説明する。
【実施例】
【００１３】  図１に示すように、本発明の散気・淡海水流動促進装置は、架台２に取り付けた太陽発電パネル１と、水中に噴気する散気体（例えば、エアストーン）４に空気を送出するコンプレッサー３と、太陽発電パネル１で発電した電力を蓄電するバッテリー６とを函体７に収納して構成されている。ここで、図２に示すように、太陽光発電パネル１は太陽方向に向かってθ＝４０度〜４２度傾斜させて架台２に取り付けられている。この傾斜角度は、「スネルの法則」により、大気中の太陽光の波長の一番短い紫系の光の屈折率が４０度、一番長い赤系の光の屈折率が４２度であることに基づいており、一定に固定された太陽光発電パネル１の受光角度として好適である。【００１４】  図３乃至図５に示すように、本発明の散気装置は、例えば水上筏垂下式二枚貝育成用に用いられる。これは、多段式育成装置１０の積層構造をロープ或いは金具等で連結したものを設置水域Ｗの表層から垂下して設置するものであり、筏８を利用して吊り下げて多数の多段式育成装置１０を設置する。【００１５】  多段式育成装置１は、円柱を輪切りにした形状の育成皿を複数床積層したものであり、その中央部に設置水域の底部から上部水面付近まで空洞が形成され、その空洞内に上下方向に配されたエアホース４ａと、その下端に接続されたエアストーン（曝気装置）４とを挿入した構造となっている。【００１６】  すなわち、育成装置１０の中央部空洞内下部よりブロアー、コンプレッサー等で作られた圧縮空気をエアストーン４等の散気管により発泡させて曝気することにより、空洞内に上昇水流を発生させ、この上昇水流を起動力として各段育成皿１０間の間隙内に存在する淡海水を中央空洞へ導流させることで、水中に酸素を溶存増加させながら育成器周囲に懸濁存在しているプランクトン等の２枚貝餌料を導流供給することができるようにされている。
【符号の説明】
【００１７】１    太陽光発電パネル
２    架台
３    コンプレッサー
４    噴気体（エアストーン）
４ａ  エアホース
５    インバーター
６    バッテリー
７    函体
８    筏
９    浮体
１０  二枚貝の多段式育成装置
【図１】
2014183828.tif 000003
【図２】
2014183828.tif 000004
【図３】
2014183828.tif 000005
【図４】
2014183828.tif 000006
【図５】
2014183828.tif 000007